(57)【要約】【課題】スチーム温度を調整できる髪ケア装置の提供を図る。【解決手段】髪ケア装置１は、スチーム用ヒータ８と、内部に液体を貯留し且つスチーム用ヒータ８の加熱によって内部で蒸発するスチームを吹き出すスチーム発生部９と、スチーム発生部９で発生するスチームの温度を検出する温度センサと２１、温度センサ２１の検出値に基づいてスチーム用ヒータ８の発熱量を制御する制御部２３と、を備える。【選択図】図１
2009136571.tif 000002
【特許請求の範囲】
【請求項１】
スチーム用ヒータと、内部に液体を貯留し且つ前記スチーム用ヒータの加熱によって内部で蒸発するスチームを吹き出すスチーム発生部と、前記スチーム発生部で発生するスチームの温度を検出する温度センサと、前記温度センサの検出値に基づいて前記スチーム用ヒータの発熱量を制御する制御部と、を備えることを特徴とする髪ケア装置。
【請求項２】
請求項１に記載の髪ケア装置であって、
前記温度センサは、前記スチーム発生部外において前記スチーム噴霧口の近傍に配置されていることを特徴とする髪ケア装置。
【請求項３】
請求項１に記載の髪ケア装置であって、
前記スチーム発生部は、前記液体を貯留し且つ前記スチーム用ヒータの発熱を受熱可能な液体貯留部と、フィルタで覆われた連通部を通じて前記液体貯留部と連通するスチーム室と、前記スチーム室に開口するスチーム噴霧口と、を備えて構成され、
前記温度センサが前記スチーム室内に配置されていることを特徴とする髪ケア装置。
【請求項４】
請求項１〜３のいずれか１項に記載の髪ケア装置であって、
前記髪ケア装置は、吸込口および吹出口を有するハウジングと、前記ハウジング内に配置されたファンと、を備えるヘアドライヤーであり、
前記スチーム発生部が前記ハウジングの内または外に配置されていることを特徴とする髪ケア装置。
【請求項５】
請求項４に記載の髪ケア装置であって、
前記ハウジング内に配置された温風ヒータをさらに備え、
前記スチーム発生部が前記ハウジングの外側に配置されていることを特徴とする髪ケア装置。
【請求項６】
請求項１〜３のいずれか１項に記載の髪ケア装置であって、
前記髪ケア装置は、互いに回転自在に装着されて狭持自在に設けられた一対のハウジングと、前記一対のハウジングの狭持面において毛髪を挟み込んで加熱する一対のアイロン板と、を備えたヘアアイロンであり、
前記一対のハウジングの少なくとも一方に前記スチーム発生部が配置され、当該一方のハウジングのアイロン板またはアイロン板の近傍に前記スチーム発生部のスチーム噴霧口からのスチームを吹き出すスチーム吹出口を備えることを特徴とする髪ケア装置。
【請求項７】
請求項１〜３のいずれか１項に記載の髪ケア装置であって、
前記髪ケア装置は、ハウジングと、前記ハウジングに固定されたブリスルを有するブラシ部と、を備えたヘアブラシであり、
前記ハウジング内に前記スチーム発生部が配置され、前記ブラシ部または前記ブラシ部の近傍に前記スチーム発生部のスチーム噴霧口からのスチームを吹き出すスチーム吹出口を備えることを特徴とする髪ケア装置。
【発明の詳細な説明】
【技術分野】
【０００１】
本発明は、髪ケア装置に関する。
【背景技術】
【０００２】
特許文献１に開示される従来の髪ケア装置としてのヘアドライヤーは、吹出口を有するブラシ面を備えるハウジングと、ハウジング内に配置された送風用ファンと、ハウジングな内に配置された温風用ヒータと、ハウジング内に配置されブラシ面からスチームを発生させるスチーム発生機構と、スチーム発生機構によるスチーム発生量を制御する水分センサと、を備えて構成されている。
【０００３】
この特許文献１のヘアドライヤーによれば、水分センサによって、毛髪の水分量を検出し、毛髪が湿っているときにはスチーム発生機構のヒータをＯＦＦしてスチームを発生させないことで毛髪の乾燥を促進し、毛髪が乾いているときにはスチーム発生機構のヒータをＯＮしてスチームを発生させて、毛髪が乾きすぎることを防止できるようになっている。
【特許文献１】特開平３−１９５５０８公報
【発明の開示】
【発明が解決しようとする課題】
【０００４】
しかしながら、前記従来の髪ケア装置にあっては、水分量に応じてスチーム発生機構のヒータをＯＮ・ＯＦＦしているため、スチームの温度を調整できず、スチーム温度が高すぎたり低すぎたりする虞がある。また、水分センサは構造が複雑で大型化しやすい欠点がある。
【０００５】
本発明は、このような従来技術をもとに為されたものであって、スチーム温度を調整できる髪ケア装置の提供も目的とする。
【課題を解決するための手段】
【０００６】
請求項１に記載の発明は、髪ケア装置であって、スチーム用ヒータと、内部に液体を貯留し且つ前記スチーム用ヒータの加熱によって内部で蒸発するスチームを吹き出すスチーム発生部と、前記スチーム発生部で発生するスチームの温度を検出する温度センサと、前記温度センサの検出値に基づいて前記スチーム用ヒータの発熱量を制御する制御部と、を備えることを特徴とする。
【０００７】
請求項２に記載の発明は、請求項１に記載の髪ケア装置であって、前記温度センサは、前記スチーム発生部外において前記スチーム噴霧口の近傍に配置されていることを特徴とする。
【０００８】
請求項３に記載の発明は、請求項１に記載の髪ケア装置であって、前記スチーム発生部は、前記液体を貯留し且つ前記スチーム用ヒータの発熱を受熱可能な液体貯留部と、フィルタで覆われた連通部を通じて前記液体貯留部と連通するスチーム室と、前記スチーム室に開口するスチーム噴霧口と、を備えて構成され、前記温度センサが前記スチーム室内に配置されていることを特徴とする。
【０００９】
請求項４に記載の発明は、請求項１〜３のいずれか１項に記載の髪ケア装置は、吸込口および吹出口を有するハウジングと、前記ハウジング内に配置されたファンと、を備えるヘアドライヤーであり、前記スチーム発生部が前記ハウジングの内または外に配置されていることを特徴とする。
【００１０】
請求項５に記載の発明は、請求項４に記載の髪ケア装置であって、前記ハウジング内に配置された温風用ヒータをさらに備え、前記スチーム発生部が前記ハウジングの外に配置されていることを特徴とするものである。
【００１１】
請求項６に記載の発明は、請求項１〜３のいずれか１項に記載の髪ケア装置は、
、互いに回転自在に装着されて狭持自在に設けられた一対のハウジングと、前記一対のハウジングの狭持面において毛髪を挟み込んで加熱する一対のアイロン板と、を備えたヘアアイロンであり、前記一対のハウジングの少なくとも一方に前記スチーム発生部が配置され、当該一方のハウジングのアイロン板またはアイロン板の近傍に前記スチーム発生部のスチーム噴霧口からのスチームを吹き出すスチーム吹出口を備えることを特徴とする。
【００１２】
請求項７に記載の発明は、請求項１〜３のいずれか１項に記載の髪ケア装置は、ハウジングと、前記ハウジングに固定されたブリスルを有するブラシ部と、を備えたヘアブラシであり、前記ハウジング内に前記スチーム発生部が配置され、前記ブラシ部または前記ブラシ部の近傍に前記スチーム発生部のスチーム噴霧口からのスチームを吹き出すスチーム吹出口を備えることを特徴とするものである。
【発明の効果】
【００１３】
請求項１に記載の発明によれば、温度センサの検出値に基づいてスチーム用ヒータの発熱量を制御するため、スチーム温度を理想の温度に保つことができる。また、水分センサを用いる場合に比べて、構造が簡素で、コンパクト化および軽量化を図ることができる。
【００１４】
請求項２に記載の発明によれば、温度センサがスチーム発生部のスチーム噴霧口の近傍に配置されているため、スチーム温度を正確に検出することができる。
【００１５】
請求項３に記載の発明によれば、温度センサがスチーム発生部のスチーム室内に配置されているため、温度センサがスチーム発生部の外に配置される場合に比べ、スチーム発生部の外部の影響（例えば送風の影響など）を受けずに、スチーム温度をより正確に検出することができる。
【００１６】
請求項４に記載の発明によれば、請求項１〜３のいずれか１項に記載の髪ケア装置を、ヘアドライヤーとして具現化できる。
【００１７】
請求項５に記載の発明によれば、ハウジング内に温風用ヒータを備えるヘアドライヤーにおいて、スチーム発生部をハウジング外に設けたことで、温風用ヒータの影響を受けずに、正確にスチーム温度を検出できる。
【００１８】
請求項６に記載の発明は、請求項１〜３のいずれか１項に記載の髪ケア装置を、ヘアアイロンとして具現化できる。
【００１９】
請求項７に記載の発明は、請求項１〜３のいずれか１項に記載の髪ケア装置を、ヘアブラシとして具現化できる。
【発明を実施するための最良の形態】
【００２０】
以下、本発明の実施形態を図面を参照しつつ説明する。
【００２１】
（第１実施形態）
図１は本発明の第１実施形態にかかる髪ケア装置を示すものである。図１は第１実施形態の髪ケア装置としてのヘヤドライヤーの断面図である。
【００２２】
（構成）
本実施形態にかかる髪ケア装置としてのドライヤー１は、送風ユニット２と、当該送風ユニット２に固定的または回転自在に取り付けられたグリップ部４と、を備えて構成されている。
【００２３】
送風ユニット２は、ハウジング３内に、ファン５およびスチーム発生部９が配置されて構成されている。ハウジング３は、略円筒形状に形成されることで、内部に送風路としての風洞が形成されるとともに、一端開口部が吸込口３ｂとして構成され且つ他端開口部が吹出口３ｃとして構成されている。
【００２４】
このハウジング３の吸込口３ｂの近傍には、送風手段としてのファン５が設けられており、このファン５は、ハウジング３内の嵌合された略円筒状のファンケース５ｃと、ファンケース５ｃの内周側から突設された図示せぬ支持部を介してファンケース５ｃに固定されたファンモータ５ｍと、ファンモータ５ｍの出力軸に取り付けられて回転駆動するファンブレード５ｆと、を備えて構成されている。
【００２５】
ファン５の下流側には、ファンケース５ｃと略同径のインナーケース６が当該ファンケース５ｃに接続されている。インナーケース６内には、略径方向中央部にスチーム発生部９が配置されており、このスチーム発生部９はリブなどの図示せぬ支持部を介してインナーケース６に支持されている。
【００２６】
スチーム発生部９は、内部に、液体を貯留可能な液体貯留部１１と、スチーム室１２と、を備えて構成されており、これら液体貯留部１１とスチーム室１２とが連通部１４を通じて連通している。スチーム発生部９のスチーム室１２に対応する位置には、スチーム発生部９の外部に開放するスチーム噴霧口１３が開口しており、内部で発生したスチームを当該スチーム噴霧口１３から噴霧することができるようになっている。
【００２７】
連通部１４およびスチーム噴霧口１３は、いずれもフィルタで覆われており、液体の通過を抑制するとともにスチームを通過を許容するようになっている。フィルタとしては、例えば布や網などの素材であれば、液体の流通を抑制できるが、特に、液体を通過させず加湿空気を通過させる素材（透湿防水シート）であると、確実に流体の流通を防止できて、好ましい。
【００２８】
液体貯留部１１の外壁にはスチーム用ヒータ８が固定されており、スチーム用ヒータ８の熱を当該液体貯留部１１で直接受熱するようになっている。液体貯留部１１内の液体が加熱されて沸騰すると、スチームが液体貯留室１１およびスチーム室１２に充満して、スチーム噴霧口１３から外部に噴霧されることとなる。
【００２９】
なお、ハウジング３に取り付けられた注水タンク１６は、スチーム発生部９の液体貯留部１１と、注水管１５を介して連通接続されており、ハウジング３外に露出する栓１７を開いて注水タンク１６内に液体を補充することで、スチーム発生部９に液体を補充することができるようになっている。
【００３０】
（スチーム温度制御）
そして、本実施形態では、スチーム発生部９のスチーム噴霧口１３の近傍に配置された温度センサ２１と、この温度センサ２１の検出値に基づいてスチーム用ヒータ８の発熱量を制御する制御部２３と、を備えることを特徴としている。具体的には、制御部２３は、スチームの温度が所定の下限値（この例では９０℃）以下となるとスチーム用ヒータ８をＯＮし、スチームの温度が所定の上限値（この例では１３０℃）以上になるとスチーム用ヒータ８をＯＦＦする。これにより、スチームを発生させるのに必要十分な温度にスチーム用ヒータ８の発熱量を制御でき、また、スチーム発生部９から吹き出されるスチームを理想的な温度に維持することができる。
【００３１】
（作用）
次に、本実施形態のヘアドライヤー１の操作方法を説明する。
【００３２】
乾燥した送風を吹き出す場合には、図示せぬ送風スイッチをＯＮしてファン５を作動させると、吹出口３ｃから乾燥した空気が吹き出され、毛髪に吹き付けられる。
【００３３】
また、加湿された加湿空気を吹き出す場合には、図示せぬ送風スイッチとともに図示せぬスチームスイッチをＯＮしてファン５ならびにスチーム用ヒータ８を作動させると、吹出口３ｃから加湿空気が吹き出される。
【００３４】
このとき、スチーム発生部９から吹き出されるスチームの温度が、上限値（この例では１３０℃）以上になると制御部２３がスチーム用ヒータ８をＯＦＦするため、スチーム発生部９がスチームを発生させるために十分に加熱されているにも関わらず、さらに無駄にスチーム発生部９を加熱してしまうことを防止できる。また、スチームの温度が下限値（この例では９０℃）以下となると制御部２３がスチーム用ヒータ８をＯＮするため、スチーム発生部９をスチームを発生させるために十分な温度に常に維持しておくことができる。
【００３５】
なお、図１中の符号２５はハウジング３の吹出口３ｃに着脱自在に取り付けられ当該ハウジング３の吹出口３ｃから吹き出される送風の風向を規制するノズルである。
【００３６】
（効果）
このような本実施形態のヘアドライヤー１によれば、以下のような効果が得られる。
【００３７】
（１）本実施形態のヘアドライヤー１によれば、必要に応じてスチームを発生させて加湿空気を吹き出すことができるため、毛髪に適度な水分を与えることで整髪を容易にするとともに、毛髪を乾燥させすぎてしまうことを防止できる。
【００３８】
（２）本実施形態のヘアドライヤー１によれば、スチーム発生部９で発生するスチームの温度を検出する温度センサ２１と、温度センサ２１の検出値に基づいてスチーム用ヒータ８の発熱量を制御する制御部２３と、を備える。そのため、スチーム発生部９で発生するスチーム温度を理想的な温度に維持することができる。また、水分センサを用いる場合に比べて、構造が簡素で、コンパクト化および軽量化を図ることができる。
【００３９】
（３）また本実施形態の制御部２３は、スチームの温度が上限値（この例では１３０℃）以上になるとスチーム用ヒータ８をＯＦＦするため、スチーム発生部９がスチームを発生させるために十分に加熱されているにも関わらず、さらに無駄にスチーム発生部９を加熱してしまうことを防止できる。また、スチーム発生部９を過剰に加熱してしまうことを防止できるため、スチーム発生部９の耐久年数を延ばすことができる。
【００４０】
（４）また本実施形態の制御部２３は、スチームの温度が下限値（この例では９０℃）以下となるとスチーム用ヒータ８をＯＮするため、スチーム発生部９をスチームを発生させるために十分な温度に常に維持しておくことができる。
【００４１】
（５）なお、本実施形態では下限値が９０℃で上限値が１３０℃であるが、下限値が１００℃で上限値が１１０℃であると好ましい。この場合、スチームを発生させるのに必要十分な温度にスチーム用ヒータ８の発熱量を制御でき、よりエネルギー効率に優れる利点がある。
【００４２】
（６）また本実施形態のヘアドライヤー１によれば、温度センサ２１がスチーム噴霧口１３の近傍に配置されているため、温度センサ２１がスチーム発生部９外に配置される場合でもスチーム温度を正確に検出することができる。
【００４３】
（７）また本実施形態のヘアドライヤー１によれば、スチーム発生部９が、液体を貯留する液体貯留部１１とスチーム室１２とに区画され、液体貯留部１１とスチーム室１２とを連通する連通部１４が、液体を通過を抑制しつつスチームを通過を許容するフィルタで覆われているため、液体貯留部１１からスチーム室１２へ液体が流出してしまうことを抑制できる。これにより、スチーム噴霧口１３が液体で塞がれて、スチーム噴霧口１３からスチームを噴霧しにくくなることを防止できる。
【００４４】
（８）また、フィルタは、液体を通さず加湿空気を通過させる素材（透湿防水シート）であることが更に好ましく、この場合、より確実にスチーム噴霧口１３が液体で塞がれてしまうことを防止できる利点がある。
【００４５】
なお、本実施形態の制御部２３は、スチーム温度が所定の上限値を超えるとスチーム用ヒータ８をＯＦＦし、所定の下限値を下まわるとスチーム用ヒータ８をＯＮしているが、本発明では、スチーム用ヒータ８への通電量を除々に変化させるなど、その他の制御方法を採用してもよい。
【００４６】
次に、他の実施形態について説明する。なお、以下の説明において既に説明した構成については同一符号を付して、重複する説明を省略する。
【００４７】
（第２実施形態）
図２は第２実施形態の髪ケア装置としてのヘアドライヤーを示す。
【００４８】
第２実施形態のヘアドライヤー１は、温度センサ２１がスチーム発生部９のスチーム室１２内に配置されている点で、温度センサ２１がスチーム発生部９の外に配置される第１実施形態と異なっており、その他の構成は第１実施形態とほぼ同様である。
【００４９】
この第２実施形態のヘアドライヤー１によれば、第１実施形態の効果に加え、温度センサ２１がスチーム室１２内に配置されているため、温度センサ２１がスチーム発生部９の外に配置される場合に比べ、スチーム発生部９の外部の影響（例えば送風の影響など）を受けずに、スチーム温度をより正確に検出することができる効果がある。
【００５０】
（第３実施形態）
図３は第３実施形態の髪ケア装置としてのヘアドライヤーを示す。
【００５１】
第３実施形態のヘアドライヤー１は、温風用ヒータ７を備える点で温風用ヒータを備えない第１、第２実施形態とは異なり、また、スチーム発生部９がハウジング３の外側に取り付けられている点で、ハウジング３内に取り付けられている第１、第２実施形態と異なっている。
【００５２】
ハウジング３の外側にはカバー３１が取り付けられ、このカバー３１内に、スチーム発生部９と、スチーム用ヒータ８と、注水タンク１６と、温度センサ２１と、制御部２３と、が配置されている。
【００５３】
注水タンク１６の栓１７はカバー３１の外部に露出しており、また、スチーム発生部９のスチーム噴霧口１３もカバー３１に開口するスチーム吹出口３３を通じて外部に露出している。そして、温度センサ２１は、第２実施形態と同様にスチーム発生部９のスチーム室１２内に配置され、制御部２３と電気接続されている。
【００５４】
このような第３実施形態のヘアドライヤー１によれば、第１実施形態と同様の効果に加え以下の効果を奏する。
【００５５】
第３実施形態のヘアドライヤー１によれば、ハウジング３内に温風用ヒータ７を備えるため、図示せぬスイッチによって温風を吹き出したり冷風を吹き出したりすることができる。
【００５６】
また第３実施形態のヘアドライヤー１によれば、ハウジング３内にスチーム発生部９を配置しないため、風洞内の風の乱れが減り且つ風洞内の通路抵抗を低くでき、ヘアドライヤー１の送風性能を高く維持できる。
【００５７】
また第３実施形態のヘアドライヤー１によれば、ハウジング３の吹出口３ｃから乾いた温風を吹き出とともに、ハウジング３の吹出口３ｃとは別の位置からスチームを噴霧することができる。
【００５８】
また第３実施形態のヘアドライヤー１によれば、このようにハウジング３内部に温風用ヒータ７を備えるヘアドライヤーにおいて、温風用ヒータ７の影響を受けずに、正確にスチーム温度を検出できる。
【００５９】
（第４実施形態）
図４〜６は第４実施形態の髪ケア装置を示す図である。
【００６０】
本実施形態の髪ケア装置はヘアアイロン１００である点で、第１実施形態のヘアドライヤー１と異なる。
【００６１】
本実施形態のヘアアイロン１００は、図４、５に示すように、ピボット部１０９を介して互いに回転自在に装着されて狭持自在に設けられた一対のハウジング１０１、１０３と、前記一対のハウジング１０１、１０３の狭持面において髪を挟み込んで加熱する一対のアイロン板１０１ｂ、１０３ｂと、備えて構成されている。一方のハウジング１０１の内部には、図６に示すように、スチーム発生部９と、スチーム用ヒータ８と、温度センサ２１と、制御部２３と、アイロン板１０１ｂを加熱するための図示せぬアイロン用ヒータと、が配置されている。スチーム発生部９は、第１実施形態と同様の構造であり、スチーム用ヒータ８によって加熱されるとスチーム噴霧口１３からスチームが吹き出される。スチーム噴霧口１３から吹き出されたスチームは、アイロン板１０１ｂの近傍において外部に開放するスチーム吹出口１０５からハウジング１０１外に吹き出されるようになっている。
【００６２】
このような第３実施形態のヘアアイロンの作用を説明する。
【００６３】
ハウジング１０１の側面に設けられたスイッチ１０７により、アイロン用ヒータをＯＮするととともにスチーム用ヒータ８をＯＦＦすると、アイロン板１０１ｂが加熱される。
【００６４】
一方、ハウジング１０１の側面に設けられたスイッチ１０７により、アイロン用ヒータをＯＮするとともにスチーム用ヒータ８をＯＮすると、アイロン板１０１ｂが加熱されるととにスチームがスチーム吹出口１０５から吹き出される。
【００６５】
そのため、このようなヘアアイロン１００によれば、一対のハウジング１０１、１０３に巻き取った髪に対して、必要に応じてスチームを吹き出すことができ、髪を加湿しながらウエーブをかけたり癖毛を直したりできるため、整髪が容易となる。
【００６６】
このとき本実施形態においても制御部２３が、第１実施形態と同様に、温度センサ２１の検出値に基づいてスチーム用ヒータ８の発熱量を制御するようになっている。そのため、本実施形態のヘアアイロン１００においても、第１実施形態と同様の作用効果を得ることができる。
【００６７】
（第５実施形態）
図７は第５実施形態の髪ケア装置を示す図である。
【００６８】
本実施形態の髪ケア装置はヘアブラシ２００である点で、第１実施形態のヘアドライヤー１と異なる。本実施形態のヘアブラシ２００は、使用者が把持可能なハウジング２０１と、ハウジング２０１に固定され複数のブリッスル部２０２を有するブラシ部２０３と、を備えて構成されている。ハウジング２０１内には、スチーム発生部９と、スチーム用ヒータ８と、温度センサ２１と、制御部２３と、注水タンク１６と、が配置されている。注水タンク１６は、栓１７がハウジング２０１外に露出した状態で、ハウジング２０１内に配置されている。また、スチーム発生部９のスチーム噴霧口１３は、ブラシ部２０３の中央部に形成されたスチーム吹出口２０７を通じてハウジング２０１外に露出している。
【００６９】
ハウジング２０１の側面にはスイッチ２０９が設けられており、スイッチ２０９をＯＮすると、スチーム用ヒータ８によってスチーム発生部９が加熱され、スチーム発生部９のスチーム噴霧口１３からスチームが吹き出される。このようなヘアブラシ２００によれば、毛髪にブラッシングをかけながらスチームを吹き出すことができるため、整髪が容易となる。
【００７０】
このとき本実施形態においても制御部２３が、第１実施形態と同様に、温度センサ２１の検出値に基づいてスチーム用ヒータ８の発熱量を制御するようになっている。そのため、本実施形態のヘアブラシ２００においても、第１実施形態と同様の作用効果を得ることができる。
【００７１】
なお本発明の髪ケア装置は上述の実施形態に例をとって説明したが、これら実施形態に限定解釈されるべきではなく本発明の要旨を逸脱しない範囲で他の実施形態を採用することができる。例えば、ヘアドライヤー、ヘアアイロン、ヘアブラシに限られることなく、その他の髪ケア装置にあっても本発明を適用することができる。
【図面の簡単な説明】
【００７２】
【図１】図１は本発明の第１実施形態の髪ケア装置としてのヘアドライヤーを示す断面図。
【図２】図２は第２実施形態の髪ケア装置としてのヘアドライヤーを示す断面図。
【図３】図３は第３実施形態の髪ケア装置としてのヘアドライヤーを示す断面図。
【図４】図４は第４実施形態の髪ケア装置としてのヘアアイロンを示す斜視図。
【図５】図５は図４のヘアアイロンの側面図。
【図６】図６は図５中のＸ−Ｘ断面図。
【図７】図７は第５実施形態の髪ケア装置としてのヘアブラシを示す図であって、（ａ）は正面図、（ｂ）は断面図。
【符号の説明】
【００７３】
１…ヘアドライヤー（髪ケア装置）
３…ハウジング
３ｂ…吸込口
３ｃ…吹出口
５…ファン
７…温風用ヒータ
８…スチーム用ヒータ
９…スチーム発生部
１３…スチーム噴霧口
２１  温度センサ
２３  制御部
１００…ヘアアイロン（髪ケア装置）
１０１…ハウジング
１０１ｂ…アイロン板
１０３…ハウジング
１０３ｂ…アイロン板
１０９…ピボット部
１１３…スチーム吹出口
２００…ヘアブラシ（髪ケア装置）
２０１…ハウジング
２０２…ブリッスル部
２０３…ブラシ部
２０７…スチーム吹出口
【図１】
2009136571.tif 000003
【図２】
2009136571.tif 000004
【図３】
2009136571.tif 000005
【図４】
2009136571.tif 000006
【図５】
2009136571.tif 000007
【図６】
2009136571.tif 000008
【図７】
2009136571.tif 000009